(57)【要約】チャネル状態情報（ＣＳＩ）をレポートする方法を提供する。該方法は、ユーザ機器（ＵＥ）によって、第１ＢＷＰにおいて基地局からＣＳＩレポートコンフィギュレーションを受信するステップと、ＵＥによって、基地局から第１ＢＷＰ切替表示を受信し、第１ＢＷＰを第２ＢＷＰに変更するステップと、ＵＥによって、基地局から第２ＢＷＰ切替表示を受信し、該ＵＥの有効なＢＷＰから第１ＢＷＰに戻すように切り替えるステップと、第２ＢＷＰ切替指示を受信した後に、ＵＥが基地局からＣＳＩレポート有効化コマンドを受信した場合に、該ＵＥによって、ＣＳＩレポートコンフィギュレーションに基づいてＣＳＩレポートを送信するステップと、を含む。
2021517440.tif 000002
【特許請求の範囲】
【請求項１】
チャネル状態情報（ＣＳＩ）をレポートする方法であって、
ユーザ機器（ＵＥ）によって、第１帯域幅部分（ＢＷＰ）において基地局からＣＳＩレポートコンフィギュレーションを受信するステップと、
前記ＵＥによって、基地局から第１ＢＷＰ切替指示を受信し、第１ＢＷＰを第２ＢＷＰに変更するステップと、
前記ＵＥによって、前記基地局から第２ＢＷＰ切替指示を受信し、該ＵＥの有効なＢＷＰから前記第１ＢＷＰに戻すように切り替えるステップと、
前記第２ＢＷＰ切替指示を受信した後に、前記ＵＥが前記基地局からＣＳＩレポート有効化コマンドを受信した場合に、前記ＵＥによって、前記ＣＳＩレポートコンフィギュレーションに基づいてＣＳＩレポートを送信するステップと、を含む方法。
【請求項２】
前記ＵＥが、前記第１ＢＷＰ切替指示を受信した後、前記ＵＥによって、前記ＣＳＩレポートコンフィギュレーションを保持するステップをさらに含む、請求項１に記載の方法。
【請求項３】
前記ＵＥによって、前記ＣＳＩレポートコンフィギュレーションを含む無線リソース制御（ＲＲＣ）メッセージを前記基地局から受信するステップをさらに含む、請求項１に記載の方法。
【請求項４】
前記ＲＲＣメッセージが複数のトリガステートをさらに含み、前記複数のトリガステートのうちの１つが前記ＣＳＩレポートコンフィギュレーションと対応付けられている、請求項３に記載の方法。
【請求項５】
前記ＣＳＩレポート有効化コマンドは、前記ＣＳＩレポートコンフィギュレーションと対応付けられた前記トリガステートに関する指示を含む、請求項４に記載の方法。
【請求項６】
チャネル状態情報（ＣＳＩ）をレポートする方法であって、
ユーザ機器（ＵＥ）によって、第１帯域幅部分（ＢＷＰ）において基地局からＣＳＩレポートコンフィギュレーションを受信するステップと、
前記ＵＥによって、前記基地局から第１ＢＷＰ切替指示を受信し、第１ＢＷＰから第２ＢＷＰに切り替えるステップと、
前記ＵＥが、前記基地局から第２ＢＷＰ切替指示を受信して該ＵＥの有効なＢＷＰから前記第１ＢＷＰに戻すように切り替えた場合に、前記ＵＥによって、前記ＣＳＩレポートコンフィギュレーションに基づいてＣＳＩレポートを送信するステップと、
を含む方法。
【請求項７】
前記ＵＥが、前記第１ＢＷＰ切替指示を受信した後、前記ＵＥによって、前記ＣＳＩレポートコンフィギュレーションを保持するステップをさらに含む、請求項６に記載の方法。
【請求項８】
前記ＵＥによって、前記ＣＳＩレポートコンフィギュレーションを含む無線リソース制御（ＲＲＣ）メッセージを前記基地局から受信するステップをさらに含む、請求項６に記載の方法。
【請求項９】
前記ＲＲＣメッセージが複数のトリガステートをさらに含み、前記複数のトリガステートのうちの１つが前記ＣＳＩレポートコンフィギュレーションと対応付けられている、請求項８に記載の方法。
【請求項１０】
前記ＣＳＩレポート有効化コマンドは、前記ＣＳＩレポートコンフィギュレーションと対応付けられた前記トリガステートに関する指示を含む、請求項９に記載の方法。
【請求項１１】
コンピュータ実行可能命令が具現化されている、１つ以上の非一時的コンピュータ可読媒体と、
前記１つ以上の非一時的コンピュータ可読媒体と結合されている少なくとも１つのプロセッサと、を備えるユーザ機器（ＵＥ）であって、
前記少なくとも１つのプロセッサは、前記コンピュータ実行可能命令を実行することにより、
第１帯域幅部分（ＢＷＰ）において基地局からチャネル状態情報（ＣＳＩ）レポートコンフィギュレーションを受信するステップと、
前記基地局から第１ＢＷＰ切替指示を受信し、第１ＢＷＰを第２ＢＷＰに変更するステップと、
前記基地局から第２ＢＷＰ切替指示を受信し、該ＵＥの有効なＢＷＰから前記第１ＢＷＰに戻すように切り替えるステップと、
前記第２ＢＷＰ切替指示を受信した後に、前記ＵＥが前記基地局からＣＳＩレポート有効化コマンドを受信した場合に、前記ＣＳＩレポートコンフィギュレーションに基づいてＣＳＩレポートを送信するステップと、を行うように構成されている、ＵＥ。
【請求項１２】
前記少なくとも１つのプロセッサは、さらに、
前記コンピュータ実行可能命令を実行することにより、前記ＵＥが前記第１ＢＷＰ切替指示を受信した後に前記ＣＳＩレポートコンフィギュレーションを保持するよう構成されている、請求項１１に記載のＵＥ。
【請求項１３】
前記少なくとも１つのプロセッサは、さらに、
前記コンピュータ実行可能命令を実行することにより、前記ＣＳＩレポートコンフィギュレーションを含む無線リソース制御（ＲＲＣ）メッセージを前記基地局から受信するよう構成されている、請求項１１に記載のＵＥ。
【請求項１４】
前記ＲＲＣメッセージが複数のトリガステートをさらに含み、前記複数のトリガステートのうちの１つが前記ＣＳＩレポートコンフィギュレーションと対応付けられている、請求項１３に記載のＵＥ。
【請求項１５】
前記ＣＳＩレポート有効化コマンドは、前記ＣＳＩレポートコンフィギュレーションと対応付けられた前記トリガステートに関する指示を含む、請求項１４に記載のＵＥ。
【請求項１６】
コンピュータ実行可能命令が具現化されている、１つ以上の非一時的コンピュータ可読媒体と、
前記１つ以上の非一時的コンピュータ可読媒体と結合されている少なくとも１つのプロセッサと、を備えるユーザ機器（ＵＥ）であって、
前記少なくとも１つのプロセッサは、前記コンピュータ実行可能命令を実行することにより、
第１帯域幅部分（ＢＷＰ）において基地局からチャネル状態情報（ＣＳＩ）レポートコンフィギュレーションを受信するステップと、
前記基地局から第１ＢＷＰ切替指示を受信し、第１ＢＷＰから第２ＢＷＰに切り替えるステップと、
前記ＵＥが前記基地局から第２ＢＷＰ切替指示を受信して該ＵＥの有効なＢＷＰから前記第１ＢＷＰに戻すように切り替えた場合に、前記ＣＳＩレポートコンフィギュレーションに基づいてＣＳＩレポートを送信するステップと、を行うように構成されている、ＵＥ。
【請求項１７】
前記少なくとも１つのプロセッサは、さらに、
前記コンピュータ実行可能命令を実行することにより、前記ＵＥが前記第１ＢＷＰ切替指示を受信した後に前記ＣＳＩレポートコンフィギュレーションを保持するよう構成されている、請求項１６に記載のＵＥ。
【請求項１８】
前記少なくとも１つのプロセッサは、さらに、
前記コンピュータ実行可能命令を実行することにより、前記ＣＳＩレポートコンフィギュレーションを含む無線リソース制御（ＲＲＣ）メッセージを基地局から受信するよう構成されている、
請求項１６に記載のＵＥ。
【請求項１９】
前記ＲＲＣメッセージが複数のトリガステートをさらに含み、前記複数のトリガステートのうちの１つが前記ＣＳＩレポートコンフィギュレーションと対応付けられている、請求項１８に記載のＵＥ。
【請求項２０】
前記ＣＳＩレポート有効化コマンドは、前記ＣＳＩレポートコンフィギュレーションと対応付けられた前記トリガステートに関する指示を含む、請求項１９に記載のＵＥ。
【発明の詳細な説明】
【技術分野】
【０００１】
〔関連出願との相互参照〕
本出願は、「Method and apparatus for SP−CSI reporting on PUSCH for BWP switch」と題され、代理人整理番号ＵＳ７３５０８（以下、「ＵＳ７３５０８出願」と称する）を有する、２０１８年４月４日に出願された米国特許仮出願第６２／６５２，７６６号の利益及び優先権を主張する。ＵＳ７３５０８出願の開示は、参照により本出願に完全に組み込まれる。
【０００２】
〔技術分野〕
本開示は、一般に無線通信の分野に関し、より詳細的には、帯域幅部分（ＢＷＰ；Bandwidth Part）の切替処理のためにチャネル状態情報（ＣＳＩ; channel state information）をレポートする方法、及びそれに関する装置に関する。
【背景技術】
【０００３】
次世代（例えば、５Ｇ  Ｎｅｗ  Ｒａｄｉｏ（ＮＲ））無線通信システム向けの様々な無線通信態様、例えばデータ速度、レイテンシ、信頼性、及びモビリティ等を改善するために様々な努力がなされてきた。次世代無線通信システムにおける新しいコンセプトの中でも、ＢＷＰは、所定キャリア上の物理リソースブロック（ＰＲＢ）が連続してなる集合である。ＢＷＰを導入すれば、ユーザ機器（ＵＥ）は、広帯域キャリアの帯域幅全体を監視しなくてもよくなる。
【０００４】
また、ＣＳＩレポートのメカニズムは、通信リンクの信頼性を高めるために次世代無線通信システムにおいて使用され得る。例えば、ＵＥは、自機が測定／検出したチャネル状態に基づいてＣＳＩレポートを生成し、該ＣＳＩレポートを基地局に送信することができる。
【０００５】
しかしながら、ＮＲでは、基地局が、ＵＥの有効な（ａｃｔｉｖｅ）ＢＷＰを１つのものから別のものに切り替えるＢＷＰ切替処理を始動させる場合がある。現在、無線通信システムにおけるＣＳＩレポート処理は、その最中にＢＷＰ切替処理が発生した場合、該ＣＳＩレポート処理が適切に行われない可能性がある。
【０００６】
したがって、本技術分野では、次世代無線通信システムにおけるＢＷＰ切替処理と互換性がある、改善されたＣＳＩレポートのメカニズムが必要とされている。
【０００７】
〔発明の概要〕
本開示は、ＢＷＰ切替処理のためにＣＳＩをレポートする方法、及びそれに関する装置を対象とする。
【０００８】
本開示の一態様によれば、ＣＳＩをレポートする方法が提供される。この方法は、ＵＥによって、第１ＢＷＰにおいて基地局からＣＳＩレポートコンフィギュレーションを受信するステップと、ＵＥによって、基地局から第１ＢＷＰ切替指示を受信し、第１ＢＷＰを第２ＢＷＰに変更するステップと、ＵＥによって、基地局から第２ＢＷＰ切替指示を受信し、該ＵＥの有効なＢＷＰから第１ＢＷＰに戻すように切り替えるステップと、第２ＢＷＰ切替指示を受信した後に、ＵＥが基地局からＣＳＩレポート有効化（ａｃｔｉｖａｔｉｏｎ）コマンドを受信した場合に、ＵＥによって、ＣＳＩレポートコンフィギュレーションに基づいてＣＳＩレポートを送信するステップと、を含む。
【０００９】
本開示の一態様によれば、ＣＳＩをレポートする方法が提供される。この方法は、ＵＥによって、第１ＢＷＰにおいて基地局からＣＳＩレポートコンフィギュレーションを受信するステップと、ＵＥによって、基地局から第１ＢＷＰ切替指示を受信し、第１ＢＷＰから第２ＢＷＰに切り替えるステップと、ＵＥが、基地局から第２ＢＷＰ切替指示を受信して該ＵＥの有効なＢＷＰから第１ＢＷＰに戻すように切り替えた場合に、ＵＥによって、ＣＳＩレポートコンフィギュレーションに基づいてＣＳＩレポートを送信するステップと、を含む。
【００１０】
本開示の別の態様によれば、ＵＥが提供される。該ＵＥは、コンピュータ実行可能命令が具現化されている、１つ以上の非一時的コンピュータ可読媒体と、前記１つ以上の非一時的コンピュータ可読媒体に接続されている少なくとも１つのプロセッサと、を含む。前記少なくとも１つのプロセッサは、前記コンピュータ実行可能命令を実行することにより、第１ＢＷＰにおいて基地局からＣＳＩレポートコンフィギュレーションを受信するステップと、基地局から第１ＢＷＰ切替指示を受信し、第１ＢＷＰを第２ＢＷＰに変更するステップと、基地局から第２ＢＷＰ切替指示を受信し、ＵＥの有効なＢＷＰから第１ＢＷＰに戻すように切り替えるステップと、第２ＢＷＰ切替指示を受信した後に、ＵＥが基地局からＣＳＩレポート有効化コマンドを受信した場合に、ＣＳＩレポートコンフィギュレーションに基づいてＣＳＩレポートを送信するステップと、を行うように構成されている。
【００１１】
本開示の別の態様によれば、ＵＥが提供される。該ＵＥは、コンピュータ実行可能命令が具現化されている、１つ以上の非一時的コンピュータ可読媒体と、前記１つ以上の非一時的コンピュータ可読媒体と結合されている少なくとも１つのプロセッサと、を含む。前記少なくとも１つのプロセッサは、前記コンピュータ実行可能命令を実行することにより、第１ＢＷＰにおいて基地局からＣＳＩレポートコンフィギュレーションを受信するステップと、基地局から第１ＢＷＰ切替指示を受信し、第１ＢＷＰから第２ＢＷＰに切り替えるステップと、ＵＥが基地局から第２ＢＷＰ切替指示を受信して該ＵＥの有効なＢＷＰから第１ＢＷＰに戻すように切り替えた場合に、ＣＳＩレポートコンフィギュレーションに基づいてＣＳＩレポートを送信するステップと、を行うように構成されている。
【図面の簡単な説明】
【００１２】
例示的な開示の諸態様は、以下の詳細な説明を添付の図面とともに読解することにより、最もよく理解される。様々な特徴は、一定の縮尺で描かれてはいない。様々な特徴の寸法は、論考を明確にするため任意に増減してもよい。
【図１】本開示の例示的な実施形態における、ＢＷＰ切替処理のためにＣＳＩをレポートする方法を示すフローチャートである。
【図２】本開示の例示的な実施形態において、ＵＥがＣＳＩレポート手続を実行しているときにＢＷＰ切替処理が発生することを示す模式図である。
【図３】本開示の例示的な実施形態において、ＵＥがＣＳＩレポート手続を実行しているときにＢＷＰ切替処理が発生することを示す模式図である。
【図４】本開示の例示的な実施形態における、ＢＷＰ切替処理のためにＣＳＩをレポートする方法を示すフローチャートである。
【図５】本開示の例示的な実施形態において、ＵＥがＣＳＩレポート手続を実行しているときにＢＷＰ切替処理が発生することを示す模式図である。
【図６】本開示の例示的な実施形態において、ＵＥがＣＳＩレポート手続を実行しているときにＢＷＰ切替処理が発生することを示す模式図である。
【図７】本開示の例示的な実施形態において、ＵＥがＣＳＩレポート手続を実行しているときにＢＷＰ切替処理が発生することを示す模式図である。
【図８】本開示の例示的な実施形態における、トリガステート（trigger state）の集合を示す模式図である。
【図９】本開示の例示的な実施形態における、トリガステートの集合を示す模式図である。
【図１０】本開示の例示的な実施形態における、トリガ集合のリストを示す模式図である。
【図１１】本開示の例示的な実施形態における、トリガステートの集合を示す模式図である。
【図１２】本開示の例示的な実施形態において、ＢＷＰ切替処理のために、基地局がＢＷＰ  ＤＣＩをＵＥに送信することを示す模式図である。
【図１３】本開示の例示的な実施形態において、ＢＷＰ切替処理のために、基地局がＢＷＰ  ＤＣＩをＵＥに送信することを示す模式図である。
【図１４】本開示の様々な態様における無線通信用ノードを示すブロック図である。
【発明を実施するための形態】
【００１３】
〔詳細な説明〕
以下の説明は、本開示における典型的な実施形態に関連する特定の情報を含む。本開示における図面及びそれらの添付の詳細な説明は、単に典型的な実施形態に向けられている。しかし、本開示は、これらの典型的な実施形態のみに限定されるものではない。本開示の他の変形及び実施形態は、当業者には想起されるであろう。特に断らない限り、図中の同様のまたは対応する要素は、同様のまたは対応する参照番号によって示されてもよい。さらに、本開示における図面及び例示は、概して、一定の縮尺ではなく、実際の相対的な寸法に対応することを意図していない。
【００１４】
一貫性及び理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００１５】
「１つの実施形態」、「ある実施形態」、「例示的な実施形態」、「様々な実施形態」、「いくつかの実施形態」、「本願の各実施形態」などの語句が用いられるが、このように記載された本願の１または複数の実施形態は、特定の特徴、構造、または、特色を含み得るが、本願のすべての可能な実施形態は、上述の特定の特徴、構造、または、特色を必ず含むとは限らない。また、「１つの実施態様において」または「典型的な実施形態において」という表現を繰り返し使用するが、「ある実施形態」とは、同じ実施態様を指すこともあるが、異なる実施形態を指すことがある。さらに、「本願」に関連して、「各実施形態」などの語句のいずれかを使用したからといって、それが、本願のすべての実施形態が上述の特定の特徴、構造、または、特色を含んでいなければならないという意味には決してならない。そうではなく、「各実施形態」などの語句の使用は、本願の少なくともいくつかの実施形態が上述の特定の特徴、構造、または、特色を含んでいるのだと解釈されるべきである。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、「〜を含む（include）が、必ずしもこれに限定されない」ことを意味する。特に、そのように記載された組み合わせ、グループ、シリーズ、及び均等物におけるオープンエンドの包含またはメンバーシップを示す。
【００１６】
さらに、説明及び非限定の目的のために、機能エンティティ、技法、プロトコル、標準などの特定の詳細が、説明される技術の理解を提供するために記載される。他の例では、不必要な詳細で説明を不明瞭にしないように、周知の方法、技術、システム、アーキテクチャなどの詳細な説明は省略される。
【００１７】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、及び／または、１以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００１８】
コンピュータ読み取り可能な媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能な命令を記憶することができる任意の他の同等の媒体が挙げられるが、これらに限定されない。
【００１９】
無線通信ネットワークアーキテクチャ（例えば、ロングタームエボリューション（ＬＴＥ）システム、ＬＴＥアドバンスト（ＬＴＥ−Ａ）システム、ＬＴＥアドバンストＰｒｏシステム、は、少なくとも１つの基地局、少なくとも１つのユーザ装置（ＵＥ）、及びネットワークへの接続を提供する１以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、次世代コア（ＮＧＣ）、またはインターネット）と、基地局によって設定された無線アクセスネットワーク（ＲＡＮ）を通じて、通信する。
【００２０】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１以上のセルと、電波インタフェース上で、信号を送受信するよう構成されている。
【００２１】
基地局は、ＵＭＴＳにおけるようなノードＢ（ＮＢ）、ＬＴＥ−Ａにおけるような発展型ノードＢ（ｅＮＢ）、ＵＭＴＳにおけるような無線ネットワークコントローラ（ＲＮＣ）、ＧＳＭ（登録商標）／ＧＥＲＡＮにおけるような基地局コントローラ（ＢＳＣ）、５ＧＣに関連するＥ−ＵＴＲＡ基地局におけるようなＮＧ−ｅＮＢ、５Ｇ−ＡＮにおけるような次世代ノードＢ（ｇＮＢ）、及びセル内の無線通信を制御し、無線リソースを管理することができる任意の他の装置を含むことができるが、これらに限定されない。基地局は、ネットワークへの無線インタフェースを介して１以上のＵＥにサービスを提供するように接続してもよい。
【００２２】
基地局は、以下の無線アクセス技術（ＲＡＴ）のうち少なくとも１つに従って、通信サービスを提供するように構成されてもよい。上記無線アクセス技術（ＲＡＴ）としては、マイクロ波アクセスのための世界相互運用（ＷｉＭＡＸ）、グローバルモバイル通信システム（ＧＳＭ（登録商標）、２Ｇと称されることが多い）、ＧＳＭ（登録商標）  ＥＤＧＥ無線アクセスネットワーク（ＧＥＲＡＮ）、汎用パケット無線サービス（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、ｅＬＴＥ（ｅｖｏｌｖｅｄ  ＬＴＥ）、ニューラジオ（ＮＲ、５Ｇと称されることが多い）及び／またはＬＴＥ−Ａ  Ｐｒｏが挙げられる。しかし、本出願の範囲は、上述のプロトコルに限定すべきではない。
【００２３】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも１つのＵＥにサービスを提供するように動作可能である。より具体的には、各セル（しばしばサービングセルと称される）は、その無線カバレッジ内の１以上のＵＥにサービスを提供する（例えば、各セルは、ダウンリンク及び任意でアップリンクパケット送信のために、その無線カバレッジ内の少なくとも１つのＵＥにダウンリンク及び任意でアップリンクリソースをスケジューリングする）。基地局は、複数のセルを介して無線通信システム内の１以上のＵＥと通信してもよい。セルは、近接サービス（ＰｒｏＳｅ）をサポートするために、サイドリンク（ＳＬ）リソースを割り当ててもよい。各セルは、他のセルと重複するカバレージ領域を有してもよい。
【００２４】
上述のように、ＮＲのフレーム構造は、高信頼性、高データ速度、及び低レイテンシ要件を満たしながら、拡張モバイルブロードバンド（ｅＭＢＢ）、大規模マシンタイプ通信（ｍＭＴＣ）、超信頼通信、及び低レイテンシ通信（ＵＲＬＬＣ）などの様々な次世代（例えば、５Ｇ）通信要件に対応するためのフレキシブルな構成をサポートする。３ＧＰＰで合意された直交周波数分割多重（ＯＦＤＭ）技術は、ＮＲ波形のための基準として機能してもよい。アダプティブサブキャリアスペーシング、チャネル帯域幅、及びサイクリックプレフィックス（ＣＰ）などのスケーラブルＯＦＤＭニューメロロジー（numerology）も使用してもよい。さらに、ＮＲには、（１）低密度パリティ検査（ＬＤＰＣ）符号及び（２）ポーラ符号という２つの符号化方式が考えられる。符号化スキーム適応は、チャネル条件及び／またはサービスアプリケーションに基づいて構成され得る。
【００２５】
さらに、単一のＮＲフレームの送信時間間隔ＴＸに、少なくとも、ダウンリンク（ＤＬ）送信データ、ガード期間、及びアップリンク（ＵＬ）送信データが含まれると理解されるべきである。また、ＤＬ送信データ、ガード期間、及びＵＬ送信データのそれぞれの部分も、例えばＮＲのネットワークダイナミクスに基づいて構成可能である。さらに、ＳＬリソースは、ＰｒｏＳｅサービスをサポートするためにＮＲフレームによって提供されてもよい。
【００２６】
また、本明細書において「システム」と「ネットワーク」という用語は互換的に使用することができる。本明細書でいう「及び／または」という表現は、その関連する対象を記述するための関連的な関係であり、３つの関係が存在する可能性を示すものである。例えば、Ａ及び／またはＢは、Ａのみが存在する、Ａ及びＢが同時に存在する、Ｂのみが存在するということを示し得る。さらに、本明細書において「／」という文字記号は一般的に、その関連する対象のうち前者及び後者が「または」の関係にあることを表している。
【００２７】
ＮＲには、半持続性（ＳＰ）ＣＳＩレポートのメカニズムが導入されている。ＳＰ−ＣＳＩレポートのメカニズムは、最小限のＤＬ割当及びＵＬ認可を行えば、制御チャネルのオーバヘッドの節約に役立つ場合がある。本開示におけるいくつかの実施形態において、ＳＰ−ＣＳＩレポート手続に以下の３つの段階が含まれてもよい。１）ＵＥが、トリガステートの集合を有するよう、基地局によって無線リソース制御（ＲＲＣ）信号を介し設定され、２）ＵＥが基地局からＣＳＩレポート有効化コマンド（例えば、有効化用のＳＰ−ＣＳＩダウンリンク制御情報（ＤＣＩ））を受信してトリガステートの１つを有効化し、３）ＵＥがＣＳＩレポート無効化コマンド（例えば、無効化用のＳＰ−ＣＳＩ  ＤＣＩ）を受信してトリガステートの１つを無効化する。
【００２８】
いくつかの実施形態において、ＳＰ−ＣＳＩレポート手続は、動的ＤＬ−ＢＷＰ切替処理を継続してもよい。ＢＷＰ切替処理は、ＳＰ−ＣＳＩレポート手続の実行中に発生し得る。
【００２９】
図１は、本開示の例示的な実施形態における、ＢＷＰ切替処理のためにＣＳＩをレポートする方法を示すフローチャートである。図１に示すように、該フローチャートは動作１０２、１０４、１０６及び１０８を含む。
【００３０】
動作１０２において、ＵＥは、第１ＢＷＰにおいて基地局からＣＳＩレポートコンフィギュレーション（例えば、「ＣＳＩ−ＲｅｐｏｒｔＣｏｎｆｉｇ」情報要素（ＩＥ））を受信してもよい。いくつかの実施形態において、ＣＳＩレポートコンフィギュレーションは、基地局から受信するＲＲＣメッセージ（例えば、ＲＲＣ設定メッセージ）内に含まれていてもよい。いくつかのこのような実施形態において、ＲＲＣメッセージが複数のトリガステートを含み、複数のトリガステートのうちの１つがＣＳＩレポートコンフィギュレーションと対応付けられていてもよい。トリガステートは、例えば、上位層のパラメータ（例えば、「ＣＳＩ−ＳｅｍｉＰｅｒｓｉｓｔｅｎｔＯｎＰＵＳＣＨ−ＴｒｉｇｇｅｒＳｔａｔｅ」ＩＥ）に基づいて構成されてもよい。上位層のパラメータは、例えば、ＣＳＩレポートコンフィギュレーション（例えば、「ＣＳＩ−ＲｅｐｏｒｔＣｏｎｆｉｇＩｄ」ＩＥ）の識別子（ＩＤ）を含んでもよい。
【００３１】
動作１０４において、ＵＥは、基地局から第１のＢＷＰ切替指示を受信し、第１ＢＷＰを第２ＢＷＰに変更してもよい。
【００３２】
動作１０６において、ＵＥは、基地局から第２のＢＷＰ切替指示を受信し、該ＵＥの有効なＢＷＰを、第１ＢＷＰに戻すように切り替えてもよい。
【００３３】
動作１０８において、ＵＥは、第２のＢＷＰ切替指示を受信した後にＣＳＩレポート有効化コマンドを基地局から受信した場合に、ＣＳＩレポートコンフィギュレーションに基づいてＣＳＩレポートを送信してもよい。いくつかの実施形態において、ＣＳＩレポート有効化コマンドは、ＣＳＩレポートコンフィギュレーションと対応付けられたトリガステートに関する指示を含んでもよい。基地局がＣＳＩレポート有効化コマンドをＵＥに送信し、該ＵＥがＣＳＩレポートのためのトリガステートを選択してもよい。
【００３４】
図２は、本開示の例示的な実施形態において、ＵＥがＣＳＩレポート手続を実行しているときにＢＷＰ切替処理が発生することを示す模式図である。
【００３５】
図２に示すように、時刻Ｔ２０２において、ＵＥは、第１ＢＷＰ２０１において、基地局から、ＲＲＣメッセージ（例えば、ＲＲＣ設定メッセージ）を介したＣＳＩレポートコンフィギュレーションを受信してもよい。その後、ＵＥは、時刻Ｔ２０４において基地局からＣＳＩレポート有効化コマンド（例えば、有効化用のＳＰ−ＣＳＩ  ＤＣＩ）を受信し、受信したＣＳＩレポートコンフィギュレーションに基づいてＣＳＩレポート手続を有効化してもよい。
【００３６】
ＣＳＩレポート手続が有効化されている間、ＵＥは、ＣＳＩレポート（複数個でもよい）を基地局に周期的にレポートしてもよい。時刻Ｔ２０６にて示すように、ＵＥは、ＣＳＩレポートコンフィギュレーションに基づいて基地局にＣＳＩレポートを送信してもよい。
【００３７】
本実施形態では、ＢＷＰ切替処理は、ＵＥが第１ＢＷＰ２０１から第２ＢＷＰ２０３に切り替える処理と、その後、第２ＢＷＰ２０３から第１ＢＷＰ２０１に戻すように切り替える処理と、を含んでもよい。図２に示すように、ＵＥは、時刻Ｔ２０８において、基地局から第１のＢＷＰ切替指示を受信してもよい。第１のＢＷＰ切替指示は、ＢＷＰ  ＤＣＩ内に含まれていてもよい。第１のＢＷＰ切替指示を受信すると、ＵＥは、自機の現在有効なのＢＷＰ（例えば、第１ＢＷＰ２０１）から第２ＢＷＰ２０３に切り替えてもよい。
【００３８】
ＵＥは、第２ＢＷＰ２０３に切り替えた後、ＣＳＩレポート手続を無効化してもよい。ＵＥは、例えば第２ＢＷＰ２０３において処理を行う場合には、基地局へのＣＳＩレポートの送信を停止してもよい。なお、本実施形態では、ＵＥは、第２ＢＷＰ２０３に切り替えた場合においてＣＳＩレポート手続を無効化してもよいが、ＣＳＩレポートコンフィギュレーションをそのまま保持する（例えば、破棄しない）こともできる。この場合、基地局が後続の手続を用いてＣＳＩレポート手続を有効化させてもよい。
【００３９】
時刻Ｔ２１０において、ＵＥは、基地局から第２のＢＷＰ切替指示を受信してもよい。第２のＢＷＰ切替指示（例えば、ＢＷＰ  ＤＣＩ内に含まれている）は、ＵＥの有効なＢＷＰを第１ＢＷＰ２０３に戻すよう該ＵＥに指示するものであってもよい。したがって、第２のＢＷＰ切替指示を受信すると、ＵＥは、自機の現在有効な第２ＢＷＰ２０３を、第１ＢＷＰ２０１に戻すように切り替えてもよい。
【００４０】
本開示のいくつかの実施形態において、ＵＥは、ＣＳＩレポートコンフィギュレーションの受信に用いられていた第１ＢＷＰ２０１に戻すように切り替えた後、ＣＳＩレポート有効化コマンドを受信するまで、ＣＳＩレポート手続の無効状態を維持してもよい。図２に示すように、ＵＥは、時刻Ｔ２１２において基地局からＣＳＩレポート有効化コマンド（例えば、有効化用のＳＰ−ＣＳＩ  ＤＣＩ）を受信した後、受信したＣＳＩレポートコンフィギュレーションに基づき、時刻Ｔ２１４においてＣＳＩレポート手続を再開して基地局にＣＳＩレポートを送信してもよい。
【００４１】
いくつかの他の実施形態において、ＵＥは、ＢＷＰ切替処理がトリガされた後、ＣＳＩレポートコンフィギュレーションを破棄してもよい。ＵＥは、例えば、第１のＢＷＰ切替指示を受信したことに応じ、ＣＳＩレポート手続を無効化するとともにＣＳＩレポートコンフィギュレーションを破棄してもよい。いくつかのこのような実施形態において、ＵＥの現在有効なＢＷＰ（例えば、第２ＢＷＰ２０３）が、これ以前にＣＳＩレポート手続の有効化のために用いられていたＢＷＰ（例えば、第１ＢＷＰ２０１）に戻されたとして、ＣＳＩレポート手続は、ＣＳＩレポート有効化コマンドによって再開されない場合もある。
【００４２】
なお、図２に示すＢＷＰ切替処理では、２通りのＢＷＰ切替のみを含むが、本開示はこれに限定されるものではない。本開示の様々な実施形態において、ＢＷＰ切替処理は、何通りかのＢＷＰ切替を含んでもよい。さらに、ＵＥにおけるＢＷＰ切替のトリガ条件は、ＢＷＰ切替指示の受信に限らなくてもよい。本開示のいくつかの実施形態において、特定のタイマーの時間切れや、その他の予め定義されたルールをＢＷＰ切替のトリガ条件としてもよい。
【００４３】
図３は、本開示の例示的な実施形態において、ＵＥがＣＳＩレポート手続を実行しているときにＢＷＰ切替処理が発生することを示す模式図である。図示の実施形態では、ＢＷＰ切替処理は、ＵＥが第１ＢＷＰ３０１から第２ＢＷＰ３０３に切り替える処理と、その後、第２ＢＷＰ３０３から第３ＢＷＰ３０５に切り替える処理と、その後、第３ＢＷＰ３０５から第１ＢＷＰ３０１に戻すように切り替える処理と、を含んでもよい。
【００４４】
図３に示すように、時刻Ｔ３０２において、ＵＥは第１ＢＷＰ３０１において、基地局から、ＲＲＣメッセージ（例えば、ＲＲＣ設定メッセージ）を介したＣＳＩレポートコンフィギュレーションを受信してもよい。その後、ＵＥは、時刻Ｔ３０４において基地局からＣＳＩレポート有効化コマンド（例えば、有効化用のＳＰ−ＣＳＩ  ＤＣＩ）を受信し、ＣＳＩレポートコンフィギュレーションによって定められたＣＳＩレポート手続を有効化してもよい。
【００４５】
時刻Ｔ３０６において、ＵＥは、時刻Ｔ３０２で受信されたＣＳＩレポートコンフィギュレーションに基づき、基地局にＣＳＩレポートを送信してもよい。
【００４６】
時刻Ｔ３０８において、ＵＥは、基地局から第１のＢＷＰ切替指示（例えば、ＤＣＩ内に含まれている）を受信し、第１のＢＷＰ切替指示に従って第１ＢＷＰ３０１から第２ＢＷＰ３０３に切り替えてもよい。
【００４７】
ＵＥは、第２ＢＷＰ３０３に切り替えた後、ＣＳＩレポート手続を無効化してもよい。ＵＥは、例えば、第２ＢＷＰ３０３において動作する場合、基地局へのＣＳＩレポートの送信を停止してもよい。
【００４８】
時刻Ｔ３１０において、ＵＥは、第２ＢＷＰ３０３から第３ＢＷＰ３０５に切り替えるようＵＥに指示する第３のＢＷＰ切替指示（例えば、ＢＷＰ  ＤＣＩに含まれている）を、基地局から受信してもよい。
【００４９】
ＵＥは、第３ＢＷＰ３０５において動作している間、ＣＳＩレポート手続の無効化状態を維持してもよい。
【００５０】
時刻Ｔ３１２において、ＵＥは、基地局から第２のＢＷＰ切替指示（例えば、ＢＷＰ  ＤＣＩ内に含まれている）を受信してもよい。第２のＢＷＰ切替指示は、ＵＥの現在有効なＢＷＰから第１ＢＷＰ３０１に切り替えるよう該ＵＥに指示するものであってもよい。したがって、第２のＢＷＰ切替指示を受信すると、ＵＥは、現在有効なＢＷＰ（例えば、第３ＢＷＰ３０５）から第１ＢＷＰ３０１に戻すように切り替えてもよい。
【００５１】
本実施形態では、ＢＷＰ切替処理の間、ＵＥはＣＳＩレポートコンフィギュレーションを保持していてもよい。これにより、後に基地局がＣＳＩレポート手続を有効化させることが依然として可能である。
【００５２】
ＵＥは、ＣＳＩレポートコンフィギュレーションの受信に用いられていた第１ＢＷＰ３０１に戻した後、基地局からＣＳＩレポート有効化コマンドを受信するまで、ＣＳＩレポート手続の無効状態を維持してもよい。図３に示すように、ＵＥは、時刻Ｔ３１４において基地局からＣＳＩレポート有効化コマンド（例えば、有効化用のＳＰ−ＣＳＩ  ＤＣＩ）を受信した後、ＣＳＩレポート手続を再有効化してもよい。したがって、ＵＥは、時刻Ｔ３１６において、ＣＳＩレポートコンフィギュレーションに基づいて基地局へのＣＳＩレポートの送信を開始してもよい。
【００５３】
図４は、本開示の例示的な実施形態における、ＢＷＰ切替処理のためにＣＳＩをレポートする方法を示すフローチャートである。図４に示すように、フローチャートは動作４０２、４０４及び４０６を含む。
【００５４】
動作４０２において、ＵＥは、第１ＢＷＰにおいて基地局からＣＳＩレポートコンフィギュレーションを受信してもよい。いくつかの実施形態において、ＣＳＩレポートコンフィギュレーションは、基地局から受信するＲＲＣメッセージ（例えば、ＲＲＣ設定メッセージ）内に含まれていてもよい。いくつかのこのような実施形態において、ＲＲＣメッセージが複数のトリガステートを含み、複数のトリガステートのうちの１つがＣＳＩレポートコンフィギュレーションと対応付けられていてもよい。
【００５５】
動作４０４において、ＵＥは、基地局から第１のＢＷＰ切替指示を受信し、第１ＢＷＰを第２ＢＷＰに変更してもよい。
【００５６】
動作４０６において、ＵＥは、基地局から第２のＢＷＰ切替指示を受信して自機の有効なＢＷＰから第１ＢＷＰに戻すように切り替えた場合に、ＣＳＩレポートコンフィギュレーションに基づいてＣＳＩレポートを送信してもよい。
【００５７】
図５は、本開示の例示的な実施形態において、ＵＥがＣＳＩレポート手続を実行しているときにＢＷＰ切替処理が発生することを示す模式図である。
【００５８】
図５に示すように、時刻Ｔ５０２において、ＵＥは、第１ＢＷＰ５０１において、基地局から、ＲＲＣメッセージ（例えば、ＲＲＣ設定メッセージ）を介したＣＳＩレポートコンフィギュレーションを受信してもよい。その後、ＵＥは、時刻Ｔ５０４において基地局からＣＳＩレポート有効化コマンド（例えば、有効化用のＳＰ−ＣＳＩ  ＤＣＩ、または、有効化用の媒体アクセス制御（ＭＡＣ）制御要素（ＣＥ））を受信し、ＣＳＩレポートコンフィギュレーションに基づいてＣＳＩレポート手続を有効化してもよい。
【００５９】
ＣＳＩレポート手続が有効化している間、ＵＥは、１つ以上のＣＳＩレポートを基地局に周期的に送信してもよい。図示の例のように、ＵＥは、時刻Ｔ５０６において、ＣＳＩレポートコンフィギュレーション（例えば、時刻Ｔ５０２で受信されたもの）に基づいて基地局にＣＳＩレポートを送信してもよい。
【００６０】
図示の実施形態では、ＢＷＰ切替処理は、ＵＥが第１ＢＷＰ５０１から第２ＢＷＰ５０３に切り替える処理と、その後、第２ＢＷＰ５０３から第１ＢＷＰ５０１に戻すように切り替える処理と、を含む。図５に示すように、ＵＥは、時刻Ｔ５０８において基地局から第１のＢＷＰ切替指示を受信してもよい。第１のＢＷＰ切替指示を受信すると、ＵＥは自機の現在有効なＢＷＰ（例えば、第１ＢＷＰ５０１）から第２ＢＷＰ５０３に切り替えてもよい。
【００６１】
ＵＥは、第２ＢＷＰ５０３に切り替えた後、ＣＳＩレポート手続を無効化するとともに、ＣＳＩレポートコンフィギュレーションを保持してもよい。
【００６２】
時刻Ｔ５１０において、ＵＥは、基地局から第２のＢＷＰ切替指示（例えば、ＢＷＰ  ＤＣＩ内に含まれている）を受信してもよい。第２のＢＷＰ切替指示を受信すると、ＵＥは、自機の現在有効なＢＷＰ（例えば、第２ＢＷＰ５０３）から第１ＢＷＰ５０１に戻すように切り替えてもよい。図５に示すように、時刻Ｔ５０８（すなわち、第１切替指示の受信時）と時刻Ｔ５１０（すなわち、第２切替指示の受信時）との間は、ＵＥが基地局にＣＳＩレポートを一切送信しない。
【００６３】
ＵＥは、ＣＳＩレポートコンフィギュレーションの受信に用いられていた第１ＢＷＰ５０１に戻した後、ＣＳＩレポート有効化コマンドを受信することなく、自動的にＣＳＩレポート手続を有効化してもよい。図５に示すように、ＵＥは、第１ＢＷＰ５０１に切り替えると、時刻Ｔ５１２において、ＣＳＩレポート手続を自動的に再開するとともに、ＣＳＩレポートコンフィギュレーションに基づいて１つ以上のＣＳＩレポートを基地局に送信してもよい。
【００６４】
いくつかの実施形態において、ＣＳＩレポートコンフィギュレーションがＲＲＣメッセージを通して基地局によって再構成または破棄されていなければ、基地局は、同じＣＳＩレポートコンフィギュレーションを用い、ＣＳＩレポート手続を複数回、有効化及び無効化させてもよい。図５を例として説明すると、時刻Ｔ５１２以降、さらに基地局は、ＣＳＩレポート無効化コマンド（例えば、無効化用のＳＰ−ＣＳＩ  ＤＣＩ）をＵＥに送信することによって、ＣＳＩレポート手続を無効化させてもよい。その後、基地局は、ＣＳＩレポート有効化コマンドをＵＥに送信することによって、ＣＳＩレポート手続を再有効化してもよい。
【００６５】
他のいくつかの実施形態において、ＵＥは、ＣＳＩレポート無効化コマンド（例えば、無効化用のＳＰ−ＣＳＩ  ＤＣＩ）をＵＥが基地局から受信した場合、ＣＳＩレポートコンフィギュレーションを破棄してもよい。ＣＳＩレポートコンフィギュレーションが一度破棄されると、ＵＥが新たなＣＳＩレポートコンフィギュレーションに基づいて設定されていなければ、ＣＳＩレポート手続はＣＳＩレポート有効化コマンドによって再開されなくてよい。
【００６６】
いくつかの他の実施形態において、ＵＥは、特定のＢＷＰの特性に基づき、ＣＳＩレポートコンフィギュレーションを破棄するか、または保持するかを決定してもよい。いくつかのこのような実施形態では、関連するＢＷＰの特性は、１）ＢＷＰがペアスペクトルまたは非ペアスペクトルであるという特性、２）ＢＷＰが周波数領域１（ＦＲ１）または周波数領域２（ＦＲ２）において動作するという特性、及び３）ＢＷＰのニューメロロジー、のうち少なくとも１つを含んでもよい。すなわち、異なるＢＷＰは、ＣＳＩレポートコンフィギュレーションの受信後、及び、ＵＥによるＢＷＰ切替中では、異なる挙動を見せてよい。他のいくつかの実施形態において、ＣＳＩレポートコンフィギュレーションを受信した後の場合の各ＢＷＰでのレスポンスは、基地局から受信した設定（例えば、ｇＮＢ）に依存してよい。
【００６７】
図６は、本開示の例示的な実施形態において、ＵＥがＣＳＩレポート手続を実行しているときにＢＷＰ切替処理が発生することを示す模式図である。本実施形態では、ＢＷＰを切り替えた後のＵＥの挙動は基地局からの明示的な信号に依存してよい。ＣＳＩレポートコンフィギュレーションが基地局によって破棄または再構成されなければ、ＵＥは、ＢＷＰ切替処理の期間中にＣＳＩレポートコンフィギュレーションを保持し続けてもよい。
【００６８】
図６に示すように、時刻Ｔ６０２において、ＵＥは、第１ＢＷＰ６０１において、基地局から、ＲＲＣメッセージ（例えば、ＲＲＣ設定メッセージ）を介したＣＳＩレポートコンフィギュレーションを受信してもよい。その後、ＵＥは、時刻Ｔ６０４において基地局からＣＳＩレポート有効化コマンド（例えば、有効化用のＳＰ−ＣＳＩ  ＤＣＩ）を受信し、ＣＳＩレポートコンフィギュレーションによって定められたＣＳＩレポート手続を有効化してもよい。
【００６９】
ＣＳＩレポート手続が有効化されている間、ＵＥは、１つ以上のＣＳＩレポートを基地局に送信してもよい。図６に示すように、ＵＥは、時刻Ｔ６０６において、ＣＳＩレポートコンフィギュレーションに基づいて基地局にＣＳＩレポートを送信してもよい。
【００７０】
図示の実施形態では、ＢＷＰ切替処理は、ＵＥが第１ＢＷＰ６０１から第２ＢＷＰ６０３に切り替える処理と、その後、第２ＢＷＰ６０３から第１ＢＷＰ６０１に戻すように切り替える処理と、を含む。図６に示すように、ＵＥは、時刻Ｔ６０８において基地局から第１のＢＷＰ切替指示を受信してもよい。第１のＢＷＰ切替指示を受信すると、ＵＥは、自機の現在有効な第１ＢＷＰ６０１から第２ＢＷＰ６０３に切り替えてもよい。
【００７１】
ＵＥが第２ＢＷＰ６０３に切り替えた後、基地局から明示的な信号が送信されるまで、ＣＳＩレポート手続は保留にされてもよい。例えば、ＵＥは、第２ＢＷＰ６０３に切り替えた後、ＣＳＩレポートコンフィギュレーションを保持するとともに、基地局から明示的な信号を受信するまで、ＣＳＩ測定を一切実行しなくてもよい。いくつかの実施形態において、上記明示的な信号は、ＵＥが、新たなＢＷＰ（例えば、図６に示される第２ＢＷＰ６０３）でのＣＳＩレポート手続を維持すべきか否かの情報、及び／または、どのＣＳＩレポート設定（複数個でもよい）を適用すべきかの情報を含んでいてもよい。
【００７２】
時刻Ｔ６１０において、ＵＥは、基地局から第２のＢＷＰ切替指示（例えば、ＢＷＰ  ＤＣＩに含まれている）を受信してもよい。第２のＢＷＰ切替指示を受信すると、ＵＥは、自機の現在有効な第２ＢＷＰ６０３から第１ＢＷＰ６０１に切り替えてもよい。
【００７３】
ＵＥは、第１ＢＷＰ６０１に戻した後、基地局から明示的な信号を受信するまで、ＣＳＩレポート手続を保留し続けてもよい。
【００７４】
図７は、本開示の例示的な実施形態において、ＵＥがＣＳＩレポート手続を実行しているときにＢＷＰ切替処理が発生することを示す模式図である。本実施形態において、ＵＥは、１つ以上のＢＷＰに関する１つ以上のデフォルトＣＳＩレポート設定に基づいて（例えば、基地局により）設定されていてもよい。いくつかの実施形態において、ＵＥの有効なＢＷＰが、ＣＳＩレポートコンフィギュレーションに基づいて設定されていない新たなＢＷＰに変更されたとき、該ＵＥは、デフォルトＣＳＩレポート設定を当該新たなＢＷＰに適用し、ＣＳＩレポート及び／またはその他の基本情報を送信してもよい。いくつかの実施形態において、デフォルトＣＳＩレポート設定は、ＲＲＣ設定に依らずに予め決められて以後に再設定されないものであってもよい。
【００７５】
図７に示すように、時刻Ｔ７０２において、ＵＥは、第１ＢＷＰ７０１において、基地局から、ＲＲＣメッセージ（例えば、ＲＲＣ設定メッセージ）を介したＣＳＩレポートコンフィギュレーションを受信してもよい。その後、ＵＥは、時刻Ｔ７０４において基地局からＣＳＩレポート有効化コマンド（例えば、有効化用のＳＰ−ＣＳＩ  ＤＣＩ）を受信し、ＣＳＩレポートコンフィギュレーションに基づいてＣＳＩレポート手続を有効化してもよい。
【００７６】
時刻Ｔ７０６において、ＵＥは、ＣＳＩレポートコンフィギュレーションに基づいてＣＳＩレポートを基地局に送信してもよい。
【００７７】
図示の実施形態では、ＢＷＰ切替処理は、ＵＥが第１ＢＷＰ７０１から第２ＢＷＰ７０３に切り替える処理と、その後、第２ＢＷＰ７０３から第３ＢＷＰ７０５に切り替える処理と、その後、第３ＢＷＰ７０５から第１ＢＷＰ７０１に戻すように切り替える処理と、を含む。
【００７８】
図７に示すように、時刻Ｔ７０８において、ＵＥは、基地局から第１のＢＷＰ切替指示（例えば、ＢＷＰ  ＤＣＩに含まれている）を受信し、第１のＢＷＰ切替指示に従って第１ＢＷＰ７０１から第２ＢＷＰ７０３に切り替えてもよい。
【００７９】
ＵＥは、第２ＢＷＰ７０３に切り替えた後、時刻Ｔ７１０において、第２ＢＷＰ７０３と対応する第１デフォルトＣＳＩレポート設定に基づいてＣＳＩレポートを基地局に送信してもよい。
【００８０】
時刻Ｔ７１２において、ＵＥは、第２ＢＷＰ７０３から第３ＢＷＰ７０５に切り替えるようＵＥに指示する第２のＢＷＰ切替指示（例えば、ＢＷＰ  ＤＣＩに含まれている）を、基地局から受信してもよい。
【００８１】
ＵＥは、第３ＢＷＰ７０５において動作するようになった後、時刻Ｔ７１４において、第３ＢＷＰ７０５と対応する第２デフォルトＣＳＩレポート設定に基づいてＣＳＩレポートを基地局に送信してもよい。いくつかの実施形態において、第１及び第２デフォルトＣＳＩレポート設定の両方とも、基地局によって予め設定されてもよく、ＵＥの態様に応じて決定されてもよい。
【００８２】
図８は、本開示の例示的な実施形態における、トリガステートの集合８００を示す模式図である。本実施形態では、トリガステートの集合８００は、複数のＣＳＩレポート設定を有する階層フォーマットとして構成されていてもよい。図８に示すように、トリガステートの集合８００は複数のトリガステート（例えば、トリガステート＃０、＃１、・・・、＃６３）を含んでもよい。各トリガステートは、１つ以上のＣＳＩレポート設定を包含していてもよい。図８に示すように、トリガステート＃０は、４つのＣＳＩレポート設定（例えば、ＣＳＩレポート設定＃０、＃１、＃２、＃３）を包含してもよい。いくつかの実施形態において、各ＣＳＩレポート設定が単一の（ＤＬ）ＢＷＰと対応付けられていてもよい。
【００８３】
いくつかの実施形態において、基地局がＣＳＩレポート有効化コマンド（例えば、有効化用のＳＰ−ＣＳＩ  ＤＣＩ）をＵＥに送信し、トリガステートの集合８００から１つのトリガステート（例えば、トリガステート＃０）を選択させてこれを有効化させてもよい。選択された／有効化されたトリガステートにおけるＣＳＩレポート設定（例えば、ＣＳＩレポート設定＃３）は、現在有効なＢＷＰに依って決定されたものであってもよい。
【００８４】
図９は、本開示の例示的な実施における、トリガステートの集合９００を示す模式図である。本実施形態では、トリガステートの集合９００は、複数のＣＳＩリソース（ＣＳＩ−ＲＳ）配置を用いた階層フォーマットとして、構成されていてもよい。図９に示すように、トリガステートの集合９００は、複数のトリガステート（例えば、トリガステート＃０、＃１、・・・、＃６３）を含んでもよい。各トリガステートは、１つのＣＳＩレポート設定のみを包含していてもよい。例えば、トリガステート＃０がＣＳＩレポート設定＃０を包含しており、トリガステート＃１がＣＳＩレポート設定＃１を包含していてもよい。以降のトリガステートも同様である。各ＣＳＩレポート設定は、１つ以上のＣＳＩ−ＲＳ設定を有してもよい。図９に示すように、ＣＳＩレポート設定＃０は、複数のＣＳＩ−ＲＳ設定＃０、＃１、＃２、＃３を有してもよい。いくつかの実施形態において、各ＣＳＩ−ＲＳ設定は、１つのＤＬ  ＢＷＰ  ＩＤと対応付けられていてもよい。ＤＬ  ＢＷＰ  ＩＤは、ＢＷＰ  ＤＣＩに基づいて設定されたものであってもよい。
【００８５】
いくつかの実施形態において、基地局がＣＳＩレポート有効化コマンド（例えば、有効化用のＳＰ−ＣＳＩ  ＤＣＩ）をＵＥに送信し、トリガステートの集合９００から１つのトリガステートを選択させてこれを有効化させてもよい。選択されたトリガステート（例えば、トリガステート＃０）は、１つ以上のＣＳＩ−ＲＳ設定（例えば、ＣＳＩ−ＲＳ設定＃０、＃１、＃２、及び＃３）を有するＣＳＩレポート設定（例えば、ＣＳＩレポート設定＃０）と対応付けられていてもよい。ＣＳＩ−ＲＳ設定は、現在有効なＢＷＰに基づいて決定されたものであってもよい。
【００８６】
図１０は、本開示の例示的な実施形態における、トリガ集合のリスト１０００を示す模式図である。本実施形態では、トリガステートからなる１つ以上の集合（例えば、図１０に示されるトリガステートの集合＃０、＃１、＃２、及び＃３）が、トリガ集合のリスト（例えば、トリガ集合のリスト１０００）中に集められていてもよい。トリガステートからなる各々の集合は、ＢＷＰ  ＩＤごとに設定され、且つ１つ以上のＣＳＩレポート設定（ＣＳＩレポート設定＃０、＃１、・・・、＃６３）を含んでいてもよい。
【００８７】
いくつかの実施形態において、基地局がＣＳＩレポート有効化コマンド（例えば、有効化用のＳＰ−ＣＳＩ  ＤＣＩ）をＵＥに送信し、トリガステートからなる全ての集合の中から複数のトリガステートを選択させてもよい。いくつかのこのような実施形態において、トリガステートからなる１つの集合（例えば、トリガステートの集合＃０）のみが、現在有効なＢＷＰに依って決定されたものであってもよい。その結果、ＣＳＩレポート有効化コマンド及び現在のＢＷＰ  ＩＤの選択に従って、１つのトリガステート（例えば、トリガステート＃６３）のみが、ＵＥに選択されてもよい。
【００８８】
いくつかの実施形態において、ＵＥは、有効なＢＷＰを切り替えると、該切り替えに応じてトリガステートの集合を変更してもよい。いくつかのこのような実施形態において、デフォルトでは、同じトリガステートを、（例えば、以前に有効であったＢＷＰに対してトリガステート＃２２が選択された場合に）新たに有効になったＢＷＰに適用してもよい。いくつかの実施形態において、ＵＥが基地局からのｃｒｏｓｓ−ＢＷＰ  ＳＰ−ＣＳＩ  ＤＣＩを適用してもよい。例えば、ＵＥは、ＢＷＰ＃０においてＳＰ−ＣＳＩ  ＤＣＩを受信したとき、このＳＰ−ＣＳＩ  ＤＣＩにＢＷＰ  ＩＤ（例えば、ＢＷＰ＃２のＩＤ）が付加されていれば、当該割り当てられたＢＷＰに、上記選択されたトリガステートを適用し、続いてＣＳＩレポートコンフィギュレーションを適用してもよい。
【００８９】
いくつかの実施形態において、複数の有効なＢＷＰが考慮される場合には、基地局が各々のＳＰ−ＣＳＩ  ＤＣＩを使用してトリガステートを選択してもよい。いくつかのこのような実施形態では、ＵＥが基地局からのｃｒｏｓｓ−ＢＷＰ  ＳＰ−ＣＳＩ  ＤＣＩを適用してもよい。例えば、ＵＥは、ＢＷＰ＃０においてＳＰ−ＣＳＩ  ＤＣＩを受信したとき、このＳＰ−ＣＳＩ  ＤＣＩにＢＷＰ  ＩＤ（例えば、ＢＷＰ  ＃２  のＩＤ）が付加されていれば、当該割り当てられたＢＷＰに、上記選択されたトリガステートを適用し、続いてＣＳＩレポートコンフィギュレーションを適用してもよい。
【００９０】
図１１は、本開示の例示的な実施形態における、トリガステートの集合１１００を示す模式図である。本実施形態では、トリガステートの集合１１００はステートマシンとして構成され、ＢＷＰ切替処理は特定のＢＷＰ切替パターン（例えば、ＢＷＰ＃０→ＢＷＰ＃１→ＢＷＰ＃２→ＢＷＰ＃３→ＢＷＰ＃４→ＢＷＰ  ＃０）を有してもよい。
【００９１】
いくつかの実施形態において、トリガステートの集合（例えば、トリガステートの集合１１００）は、特定のＢＷＰ切替パターン向けに予め構成されたものであってもよい。図１１に示すように、トリガステート＃１は、次のＢＷＰ切替のための追加トリガステート＃１−１、＃１−２、及び＃１−３を有して構成されていてもよい。各トリガ規定は、ＣＳＩレポート設定を含有していてもよい。図１１に示すように、ＣＳＩレポート設定＃０、＃１、・・・、＃６３はそれぞれ、トリガステート＃０、＃１、…、＃６３と対応付けられていてもよい。ＣＳＩレポート設定＃１−１、＃１−２、及び＃１−３はそれぞれ、トリガステート＃１−１、＃１−２、及び＃１−３と対応付けられていてもよい。
【００９２】
いくつかの実施形態において、基地局が、ＳＰ−ＣＳＩ  ＤＣＩをＵＥに送信し、トリガステートを有効化させてもよい。いくつかのこのような実施形態において、有効化されたトリガステートは、ＢＷＰ  ＤＣＩにより、所定のＢＷＰ  ＩＤ順に従って変更されてもよい。
【００９３】
図１２は、本開示の例示的な実施形態において、ＢＷＰ切替処理のために、基地局がＢＷＰ  ＤＣＩをＵＥに送信することを示す模式図である。本実施形態において、ＢＷＰ  ＤＣＩは、トリガステートに関する付加トリガフィールドを有して構成されてもよい。当該トリガフィールドは、例えば、トリガステートの集合からＲＲＣメッセージによって予め設定された新たなトリガステートＩＤを含んでいてもよい（またはそれと関連付けられていてもよい）。
【００９４】
いくつかの実施形態において、ＢＷＰ  ＤＣＩは、ＢＷＰ切替を始動するとともに、新たなトリガステートを再選択してもよい。図１２に示すように、ＵＥが、複数のトリガステート＃０、＃１、＃２及び＃３を有するよう、基地局によって、例えばＲＲＣメッセージを介し、予め設定される。時刻Ｔ１２０２において、基地局が、ＳＰ−ＣＳＩ  ＤＣＩをＵＥに送信し、予め設定された複数のトリガステートのうちの１つ（例えば、トリガステート＃０）を有効化してもよい。その後、時刻Ｔ１２０４において、基地局は、当該有効化されたトリガステート（例えば、トリガステート＃０）を、予め設定された別のトリガステート（例えば、トリガステート＃３）に、ＢＷＰ  ＤＣＩによって変更してもよい。ＢＷＰ  ＤＣＩは、有効なＢＷＰを、第１ＢＷＰ１２０１から、指定されたＢＷＰ（例えば、ＢＷＰ  ＃１）に切り替えるよう、ＵＥにさらに指示するものであってもよい。
【００９５】
図１３は、本開示の例示的な実施形態において、ＢＷＰ切替処理のために、基地局がＢＷＰ  ＤＣＩをＵＥに送信することを示す模式図である。本実施形態では、ＳＰ−ＣＳＩ  ＤＣＩは、ＢＷＰ切替を始動し得るＢＷＰ  ＩＤを有するよう、構成されてもよい。
【００９６】
図１３に示すように、ＵＥが、複数のトリガステート＃０、＃１、＃２、及び＃３を有するよう、基地局によって、例えばＲＲＣメッセージを介して予め設定される。時刻Ｔ１３０２において、基地局が、ＳＰ−ＣＳＩ  ＤＣＩをＵＥに送信し、予め設定された複数のトリガステートのうちの１つ（例えば、トリガステート＃０）を有効化してもよい。その後、時刻Ｔ１３０４において、基地局は、当該有効化されたトリガステート（例えば、トリガステート＃０）を、予め設定された別のトリガステート（例えば、トリガステート＃３）に、特定のＳＰ−ＣＳＩ  ＤＣＩによって変更してもよい。本実施形態では、さらに当該特定のＳＰ−ＣＳＩ  ＤＣＩは、ＢＷＰ切替を始動してもよい。その結果、図１３に示すように、当該特定のＳＰ−ＣＳＩ  ＤＣＩは、有効なＢＷＰを第１ＢＷＰ１３０１からＢＷＰ＃１に切り替えるとともにトリガステート＃０を新たなトリガステート＃３に変更するよう、ＵＥに指示してもよい。
【００９７】
いくつかの実施形態において、１つのトリガステートが特定のＳＰ−ＣＳＩ  ＤＣＩによって有効化されてもよい。このトリガステートは、ＢＷＰ切替の有無にかかわらず、特定のＳＰ−ＣＳＩ  ＤＣＩによって新たなトリガステートに変更されてもよい。
【００９８】
他のいくつかの実施形態において、ＵＥが、新たに有効になったＢＷＰにおいてＳＰ−ＣＳＩレポート手続を実行、及び／または、ドロップするか否かは、ＢＷＰの特性に依存してもよい。いくつかのこのような実施形態では、関連するＢＷＰの特性は、１）ＢＷＰがペアスペクトルまたは非ペアスペクトルであるという特性、２）ＢＷＰがＦＲ１またはＦＲ２において動作するという特性、及び３）ＢＷＰのニューメロロジー、のうち少なくとも１つを含んでもよい。すなわち、ＵＥが他のＢＷＰへ切り替える際には、ＢＷＰが異なれば、異なる処理が、予め設定されたトリガステートに基づいて適用されてよい。別のアプローチは、各ＢＷＰが基地局によって設定されると、予め設定されたトリガステートを処理することである。いくつかの実施形態において、ＢＷＰ切替後、ＳＰ−ＣＳＩレポート手続は、レポート及びドロップのいずれかを継続する。
【００９９】
図１４は、本願の様々な態様における無線通信用ノードを示すブロック図である。図１４に示すように、ノード１４００は、トランシーバ１４２０、プロセッサ１４２８、メモリ１４３４、ひとつまたは複数の表示コンポーネント１４３８、及び少なくとも一つのアンテナ１４３６を備える。ノード１４００は、また、ＲＦスペクトル帯域モジュール、基地局通信モジュール、ネットワーク通信モジュール、及びシステム通信管理モジュール、入力／出力（Ｉ／Ｏ）ポート、Ｉ／Ｏコンポーネント、及び電源（図１４には明示的に示されていない）を含み得る。これらの構成要素のそれぞれは、１以上のバス１４４０を介して、直接または間接的に、互いに通信してもよい。一実施形態では、ノード１４００は、例えば、本明細書において図１から図１３を参照して説明された様々な機能を実行するＵＥまたは基地局であってもよい。
【０１００】
送信機１４２２（例えば送信回路）及び受信機１４２４（例えば受信回路）を備えるトランシーバ１４２０は、時間及び／または周波数リソース分割情報を送信及び／または受信するように構成され得る。いくつかの実施形態において、トランシーバ１４２０は、使用可能、使用不可能、及び柔軟に使用可能なサブフレーム及びスロットフォーマットを含むが、これらに限定されない様々なタイプのサブフレーム及びスロットで送信するように構成され得る。トランシーバ１４２０は、データ及び制御チャネルを受信するように構成され得る。
【０１０１】
ノード１４００は、様々なコンピュータ可読媒体を備えることができる。コンピュータ可読媒体は、ノード１４００によってアクセスされ得る任意の利用可能な媒体であって、揮発性媒体及び不揮発性媒体の両方を含んでいてもよいし、取り外し可能な媒体及び取り外し不可能な媒体の両方を含んでいてもよい。例えば、これには限定されないが、コンピュータ可読媒体は、コンピュータ記憶媒体、及び、通信媒体を含んでいてもよい。コンピュータ記憶媒体は、コンピュータが読み取り可能な情報を記憶するための任意の方法または技術において導入されている媒体である、揮発性媒体及び不揮発性媒体の両方を含んでいてもよいし、取り外し可能な媒体及び取り外し不可能な媒体の両方を含んでいてもよい。
【０１０２】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カ集合、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。「変調データ信号」という用語は、信号内の情報を符号化するような方法で設定または変更された１以上の特性を有する信号を意味する。例えば、これに限定されないが、通信媒体は、有線ネットワーク、直接有線接続のような有線媒体、ならびに、音響、ＲＦ、赤外線及びその他の無線媒体などの無線媒体を含んでもよい。上記のいずれの組合せもコンピュータ可読媒体の範囲内に含められるべきである。
【０１０３】
メモリ１４３４は、揮発性及び／または不揮発性メモリの形態のコンピュータ記憶媒体を含むことができる。メモリ１４３４は、取り外し可能、取り外し不能、またはそれらの組み合わせであってもよい。例示的なメモリは、ソリッドステートメモリ、ハードドライブ、光ディスクドライブなどを含む。図１４に示すように、メモリ１４３４は、コンピュータ可読コンピュータ実行可能命令１４３２（例えば、ソフトウェアコード）を格納してもよい。命令１４３２は、実行されると、例えば図１〜図１３を参照して本明細書において説明された様々な機能をプロセッサ１４２８に実行させるように構成されている。あるいは、命令１４３２は、プロセッサ１４２８によって直接実行可能ではなく、本明細書において説明された様々な機能を（例えば、コンパイルされて実行されるとき）ノード１４００に実行させるように構成されてもよい。
【０１０４】
プロセッサ１４２８（例えば、処理回路を有するもの）は、インテリジェントハードウェアデバイス、例えば、中央処理装置（ＣＰＵ）、マイクロコントローラ、ＡＳＩＣなどを含み得る。プロセッサ１４２８は、メモリを含むことができる。プロセッサ１４２８は、メモリ１４３４から受信したデータ１４３０及び命令１４３２、ならびに、トランシーバ１４２０、ベースバンド通信モジュール及び／またはネットワーク通信モジュールを介して得た情報を、処理することができる。プロセッサ１４２８は、トランシーバ１４２０へ送られ、アンテナ１４３６経由で、コアネットワークへの送達のためにネットワーク通信モジュールに送信すべき情報を、処理することもできる。
【０１０５】
１以上の表示コンポーネント１４３８は、個人または他のデバイスにデータ表示を提示する。例示的な１以上の表示コンポーネント１４３８は、表示デバイス、スピーカー、印刷コンポーネント、振動コンポーネントなどを含む。
【０１０６】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態及び詳細において変更を行うことができることを認識し得る。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、及び置換が可能であることを理解されたい。
【図１】
2021517440.tif 000003
【図２】
2021517440.tif 000004
【図３】
2021517440.tif 000005
【図４】
2021517440.tif 000006
【図５】
2021517440.tif 000007
【図６】
2021517440.tif 000008
【図７】
2021517440.tif 000009
【図８】
2021517440.tif 000010
【図９】
2021517440.tif 000011
【図１０】
2021517440.tif 000012
【図１１】
2021517440.tif 000013
【図１２】
2021517440.tif 000014
【図１３】
2021517440.tif 000015
【図１４】
2021517440.tif 000016
【国際調査報告】
2021517440.tif 000017
2021517440.tif 000018